(57)【要約】      （修正有）【課題】左右の床躯体が異なる前後方向に揺れ動いても、スライド移動する目地プレートの両側部に三角形状の隙間が生じるのを確実に防止し、異なる左右方向の揺れも吸収し、揺れ動きが停止すると元の位置に自動的に戻すことができる床用目地装置を得る。【解決手段】一方の目地部側の床躯体３にほぼ水平方向に設けられたガイドレール５と、一端部の底面に取付けられた複数個のローラあるいは滑材が前後方向にスライド移動可能に支持され他端部が他方の目地部側の床面３ａに左右方向にスライド移動可能に取付けられた目地プート７と、他方の目地部側の床躯体側の両側部位を支点に左右の床躯体が異なる前後方向に揺れ動いた場合に一方の床躯体の両側部側に生じる隙間８を塞ぐように回動可能な扇状の一対の補助プレート９と、この外側遊端部を常時一方の目地部側の床躯体の両側壁１０側に位置させる一対の補助プレート位置決め機構とで床用目地装置１を構成している。【選択図】  図８
2004346502.tif 000002
【特許請求の範囲】
【請求項１】
目地部を介して設けられた左右の床躯体の、一方の目地部側の床躯体にほぼ水平方向に設けられたガイドレールと、このガイドレールに一端部の底面に取付けられた複数個のローラあるいは滑材が前後方向にスライド移動可能に支持され、他端部が前記左右の床躯体の他方の目地部側の床面に左右方向にスライド移動可能に取付けられた目地プレートと、この目地プレートの他方の目地部側の床躯体側の両側部位を支点に、前記左右の床躯体が異なる前後方向に揺れ動いた場合に、一方の床躯体の両側部側に生じる隙間を塞ぐように回動可能な扇状の一対の補助プレートと、この一対の補助プレートの外側遊端部を常時一方の目地部側の床躯体の両側壁側に位置させる一対の補助プレート位置決め機構とからなることを特徴とする床用目地装置。
【請求項２】
目地部を介して設けられた左右の床躯体の、一方の目地部側の床躯体にほぼ水平方向に設けられたガイドレールと、このガイドレールに一端部の底面に取付けられた複数個のローラあるいは滑材が前後方向にスライド移動可能に支持され、他端部が前記左右の床躯体の他方の目地部側の床面に左右方向にスライド移動可能に取付けられた一端部側の両側部を三角形状にカットされた一対の逃げ部を形成した目地プレートと、この目地プレートの一対の逃げ部を覆うように一端部が該目地プレートの両側中央部寄りの部位に枢支された、該逃げ部の２倍以上の幅寸法の一対の補助プレートと、この一対の補助プレートの外側遊端部を常時一方の目地部側の床躯体の両側壁側に位置させる一対の補助プレート位置決め機構とからなることを特徴とする床用目地装置。
【請求項３】
一対の補助プレートは目地プレートにスライド移動可能に収納されていることを特徴とする請求項１、２いずれかに記載の床用目地装置。
【請求項４】
一対の補助プレート位置決め機構は一方の目地部側の床躯体の両側壁部位より他方の床躯体方向に突出するガイド片と、このガイド片にスライド移動可能に係止される一対の補助プレートの外側遊端部に取付けられた係止片とで構成されていることを特徴とする請求項１、２、３いずれかに記載の床用目地装置。
【発明の詳細な説明】
【０００１】
【発明の属する技術分野】
本発明は目地部を介して設けられた左右の床躯体間の目地部を覆う床用目地装置に関する。
【０００２】
【従来の技術】
従来の床用目地装置は一方の目地部側の床躯体にほぼ水平方向に設けられたガイドレールと、このガイドレールに一端部の底面に取付けられた複数個のローラが前後方向にスライド移動可能に支持され、他端部が前記左右の床躯体の他方の目地部側の床面に左右方向にスライド移動可能に取付けられた目地プレートとで構成されている。
【０００３】
［特許文献］      特開平１１−１００９０７
【０００４】
【発明が解決しようとする課題】
従来のこの種の床用目地装置は、左右の床躯体が異なる前後方向に揺れ動いた場合に、目地プレートの一端部側の両側部の一方に三角形状の隙間が生じて危険になるか、目地プレートの一端部側と一方の床躯体とが衝突して損傷するかのいずれかが生じるという欠点があった。
【０００５】
本発明は以上のような従来の欠点に鑑み、左右の床躯体が異なる前後方向に揺れ動いても、前後方向にスライド移動する目地プレートの一端部側の両側部に三角形状の隙間が生じるのを確実に防止することができるとともに、目地プレートや左右の床躯体の損傷も防止でき、かつ異なる左右方向の揺れ動きも吸収し、揺れ動きが停止すると元の位置に自動的に戻すことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は目地部を介して設けられた左右の床躯体の、一方の目地部側の床躯体にほぼ水平方向に設けられたガイドレールと、このガイドレールに一端部の底面に取付けられた複数個のローラあるいは滑材が前後方向にスライド移動可能に支持され、他端部が前記左右の床躯体の他方の目地部側の床面に左右方向にスライド移動可能に取付けられた目地プレートと、この目地プレートの他方の目地部側の床躯体側の両側部位を支点に、前記左右の床躯体が異なる前後方向に揺れ動いた場合に、一方の床躯体の両側部側に生じる隙間を塞ぐように回動可能な扇状の一対の補助プレートと、この一対の補助プレートの外側遊端部を常時一方の目地部側の床躯体の両側壁側に位置させる一対の補助プレート位置決め機構とで床用目地装置を構成している。
【０００８】
【発明の実施の形態】
以下、図面に示す実施の形態により、本発明を詳細に説明する。
【０００９】
図１ないし図８に示す本発明の第１の実施の形態において、１は目地部２を介して設けられた渡り通路等の左右の床躯体３、３間の床目地部を覆う本発明の床用目地装置で、この床用目地装置１は前記左右の床躯体３、３の一方の目地部側の床躯体３にほぼ水平方向に複数本のビス４等によって固定状態に設けられたガイドレール５と、このガイドレール５に一端部の底面に取付けられた滑材あるいは複数個のローラ６が前後方向にスライド移動可能に支持され、他端部が前記左右の床躯体３、３の他方の床躯体３の目地部側の床面３ａに左右方向にスライド移動可能に取付けられた、前記目地部２の広さの約２倍の寸法の目地プレート７と、この目地プレート７の他方の目地部側の床躯体３側の両側部位を支点に、前記左右の床躯体３、３が異なる前後方向に揺れ動いた場合に、一方の床躯体３の両側部位に生じる隙間８、８を塞ぐように回動可能な扇状の一対の補助プレート９、９と、この一対の補助プレート９、９の外側遊端部を常時一方の目地部側の床躯体３の両側壁１０、１０側に位置させる一対の補助プレート位置決め機構１１、１１と、前記目地プレート７の一端部の上部を覆うように一方の目地部側床躯体３の床面３ａに複数本のビス１２等によって固定されたカバープレート１３とで構成されている。
【００１０】
前記目地プレート７は図４に示すように、中央縦バー１４、この中央縦バー１４の両端部に中央部が溶接等によって固定された端部バー１５、１５、前記中央縦バー１４の中央部に中央部が位置するように溶接等によって固定された中央横バー１６、この中央横バー１６の両端部と他方の端部バー１５の両端部とに両端部が溶接等によって固定される両側バー１７、１７とからなる補強フレーム１８と、この補強フレーム１８を上下部から覆うように溶接あるいは複数本の皿ビス１９等によって固定された上・下部目地カバー２０、２１と、この上部目地カバー２０の他端部に形成された先端部が床面３ａに当接するように傾斜面に曲げ加工された先端カバー片２２とで構成されている。
【００１１】
前記一対の補助プレート９、９は図５に示すように、前記目地プレート７の一端部側の上・下部目地カバー２０、２１内に回動可能に挿入される三角形状の補助プレート本体２３と、この補助プレート本体２３の後端部に形成された枢支ピン２４によって前記目地プレート７に枢支される枢支ピン挿入孔２５とで構成されている。
【００１２】
前記一対の補助プレート位置決め機構１１、１１は図６に示すように、前記一対の補助プレート９、９の遊端部側の外側部に下方へ突出するように固定されたローラ２６を備える作動杆２７と、この作動杆２７のローラ２６を左右方向に移動できる長孔２８が形成された、前記目地プレート７のスライド移動を阻止しない前記一方の目地部側の床躯体３の両側壁１０、１０側に位置する部位に複数本のビス２９等によって固定されるガイド部材３０とで構成されている。
【００１３】
上記構成の床用目地装置１は、通常時には左右の床躯体３、３間を目地プレート７で覆われるとともに、該左右の床躯体３、３の両側壁１０、１０間は壁用目地装置３１、３１によって覆われた状態となっている。
【００１４】
地震等によって目地部２が狭くなったり、広くなったりするように、異なる左右方向に揺れ動いた場合、図７に示すように目地プレート７の他端部が他方の床躯体３の目地部側の床面３ａを左右方向にスライド移動して、その揺れ動きを吸収する。
【００１５】
また、異なる前後方向に揺れ動いた場合には図８に示すように、他方の床躯体３の両側壁１０、１０によって目地プレート７が一体となって前後方向に移動するため、目地プレート７の一端部は一方の床躯体３に設けられたガイドレール５に沿って前後方向にスライド移動する。
この一方の床躯体３に対して目地プレート７の一端部が前後方向にスライド移動すると、壁用目地装置３１、３１との間に三角形状の隙間３２、３２が生じるが、一対の補助プレート位置決め機構１１、１１によって前記隙間３２、３２を覆うように一対の補助プレート９、９を回動させて、隙間３２、３２が生じるのを阻止する。
揺れ動きが停止すると、一対の補助プレート９、９は一対の補助プレート位置決め機構１１、１１によって自動的に元の状態に戻り、安全に使用できる。
【００１６】
【発明の異なる実施の形態】
次に、図９ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図９ないし図１１に示す本発明の第２の実施の形態において、前記本発明の第１の実施の形態と主に異なる点は、内側壁１０Ａ、１０Ａと外側壁１０Ｂ、１０Ｂを有する左右の床躯体３Ａ、３Ａの内側壁１０Ａ、１０Ａ間の左右の床躯体３Ａ、３Ａ間の目地部２を覆うように設置した点で、このような部位に設置した床用目地装置１Ａも前記本発明の第１の実施の形態と同様な作用効果が得られる。
【００１８】
図１２ないし図１４に示す本発明の第３の実施の形態において、前記本発明の第１の実施の形態と主に異なる点は、一端部側の両側部を三角形状にカットした一対の逃げ部３３、３３を形成した目地プレート７Ａと、この目地プレート７Ａの一対の逃げ部３３、３３および前後方向に揺れ動いた場合に生じる隙間３２、３２を覆うことができる、該一対の逃げ部３３、３３の２倍以上の幅寸法の一対の補助プレート９Ａ、９Ａを用いた点で、このように構成した床用目地装置１Ｂにしても前記本発明の第１の実施の形態と同様な作用効果が得られるとともに、目地プレート７Ａの前後方向の移動量が躯体や壁用目地装置で制限を受ける部位にも設置することができる。
【００１９】
図１５ないし図１７に示す本発明の第４の実施の形態において、前記本発明の第１の実施の形態と主に異なる点は、一対の補助プレート９、９を常時収納方向に付勢するスプリング３４、３４と、異なる前後方向の揺れ動き時に一対の補助プレート９、９の遊端部を外方へ突出させるワイヤー３５、３５とを用いた一対の補助プレート位置決め機構１１Ａ、１１Ａを用いた点で、このような一対の補助プレート位置決め機構１１Ａ、１１Ａを用いて構成した床用目地装置１Ｃにしても、前記本発明の第１の実施の形態と同様な作用効果が得られる。
【００２０】
図１８ないし図２０に示す本発明の第５の実施の形態において、前記本発明の第１の実施の形態と主に異なる点は、壁用目地装置３１の外側面下部に作動杆２７を左右方向にスライド移動可能な両端部がＬ字状の取付片３６、３６が形成されたガイド部材３７を使用した一対の補助プレート位置決め機構１１Ｂ、１１Ｂを用いた点で、このような一対の補助プレート位置決め機構１１Ｂ、１１Ｂを用いて構成した床用目地装置１Ｄにしても、前記本発明の第１の実施の形態と同様な作用効果が得られる。
【００２１】
【発明の効果】
以上の説明から明らかなように、本発明にあっては次に列挙する効果が得られる。
【００２２】
（１）目地部を介して設けられた左右の床躯体の、一方の目地部側の床躯体にほぼ水平方向に設けられたガイドレールと、このガイドレールに一端部の底面に取付けられた複数個のローラあるいは滑材が前後方向にスライド移動可能に支持され、他端部が前記左右の床躯体の他方の目地部側の床面に左右方向にスライド移動可能に取付けられた目地プレートと、この目地プレートの他方の目地部側の床躯体側の両側部位を支点に、前記左右の床躯体が異なる前後方向に揺れ動いた場合に、一方の床躯体の両側部側に生じる隙間を塞ぐように回動可能な扇状の一対の補助プレートと、この一対の補助プレートの外側遊端部を常時一方の目地部側の床躯体の両側壁側に位置させる一対の補助プレート位置決め機構とで構成されているので、左右の床躯体が異なる前後方向に揺れ動いた場合には、目地プレートの一端部側の両側部に三角形状の隙間ができるが、該隙間を一対の補助プレートが一対の補助プレート位置決め機構によって塞ぐことができる。
したがって、隙間を一対の補助プレートで塞ぐため、安全に使用することができる。
【００２３】
（２）前記（１）によって、左右の床躯体が異なる左右方向に揺れ動いた場合には、目地プレートの他端部が他方の床躯体の底面をスライド移動して、その揺れ動きを吸収することができる。
したがって、目地プレート等が損傷するのを確実に防止できる。
【００２４】
（３）前記（１）によって、構造が簡単で、容易に設置することができる。
【００２５】
（４）請求項２も前記（１）〜（３）と同様な効果が得られるとともに、目地プレートの一端部の前後方向に移動量に制限がある場所でも、目地プレートの前後方向の移動量を大きく設定することができる。
したがって、このような条件のある場所にでも使用することができる。
【００２６】
（５）請求項３、４も前記（１）〜（３）と同様な効果が得られる
【図面の簡単な説明】
【図１】本発明の第１の実施の形態の平面図。
【図２】図１の２−２線に沿う断面図。
【図３】図１の３−３線に沿う断面図。
【図４】本発明の第１の実施の形態の目地プレートの説明図。
【図５】本発明の第１の実施の形態の補助プレートの説明図。
【図６】本発明の第１の実施の形態の補助プレート位置決め機構の説明図。
【図７】本発明の第１の実施の形態の異なる左右方向の動作説明図。
【図８】本発明の第１の実施の形態の異なる前後方向の動作説明図。
【図９】本発明の第２の実施の形態の平面図。
【図１０】図９の１０−１０線に沿う断面図。
【図１１】図９の１１−１１線に沿う断面図。
【図１２】本発明の第３の実施の形態の平面図。
【図１３】図１２の１３−１３線に沿う断面図。
【図１４】本発明の第３の実施の形態の目地プレートの説明図。
【図１５】本発明の第４の実施の形態の平面図。
【図１６】図１５の１６−１６線に沿う断面図。
【図１７】本発明の第４の実施の形態の補助プレート位置決め機構の説明図。
【図１８】本発明の第５の実施の形態の平面図。
【図１９】図１８の１９−１９線に沿う断面図。
【図２０】本発明の第５の実施の形態の補助プレート位置決め機構の説明図。
【符号の説明】
１、１Ａ、１Ｂ、１Ｃ、１Ｄ：床用目地装置、
２：目地部、            ３、３Ａ：床躯体、
４：ビス、              ５：ガイドレール、
６：ローラ、            ７、７Ａ：目地プレート、
８：隙間、              ９、９Ａ：補助プレート、
１０：側壁、
１１、１１Ａ、１１Ｂ：補助プレート位置決め機構、
１２：ビス、            １３：カバープレート、
１４：中央縦バー、      １５：端部バー、
１６：中央横バー、      １７：両側バー、
１８：補強フレーム、    １９：皿ビス、
２０：上部目地カバー、  ２１：下部目地カバー、
２２：先端カバー片、    ２３：補助プレート本体、
２４：枢支ピン、        ２５：枢支ピン挿入孔、
２６：ローラ、          ２７：作動杆、
２８：長孔、            ２９：ビス、
３０：ガイド部材、      ３１：壁用目地装置、
３２：隙間、            ３３：逃げ部、
３４：スプリング、      ３５：ワイヤー、
３６：取付片、          ３７：ガイド部材。
【図１】
2004346502.tif 000003
【図２】
2004346502.tif 000004
【図３】
2004346502.tif 000005
【図４】
2004346502.tif 000006
【図５】
2004346502.tif 000007
【図６】
2004346502.tif 000008
【図７】
2004346502.tif 000009
【図８】
2004346502.tif 000010
【図９】
2004346502.tif 000011
【図１０】
2004346502.tif 000012
【図１１】
2004346502.tif 000013
【図１２】
2004346502.tif 000014
【図１３】
2004346502.tif 000015
【図１４】
2004346502.tif 000016
【図１５】
2004346502.tif 000017
【図１６】
2004346502.tif 000018
【図１７】
2004346502.tif 000019
【図１８】
2004346502.tif 000020
【図１９】
2004346502.tif 000021
【図２０】
2004346502.tif 000022